(57)【特許請求の範囲】
【請求項１】
取付杆と、ロック機構を有した操作体とを、それらの間に長孔が開設された樋支持具本体を挟み込んだ状態で該長孔を貫通する結合軸で結合して、前記取付杆と前記樋支持具本体とを相互にスライド可能とし、所望の位置で固定できるようにした軒樋支持具であって、
前記操作体は、挿通孔を有した基板部と、該基板部の両側方に各々延び、前記樋支持具本体の長手方向に直交する方向に配された、ばね性を有したつまみ部とを備えた構造とされ、前記樋支持具本体の下方に配されるようになっており、前記つまみ部は下方に向けて相互に離反するように折曲されてハ字状に開いた形状とされており、
前記操作体のつまみ部と、前記樋支持具本体の幅方向の両端部との各対向部位には、前記樋支持具本体の進退位置を固定する係止部が形成されており、前記つまみ部を操作して係止によるロックを解除する構成となっており、
前記樋支持具本体の係止部は凸部で構成され、該凸部はスライド方向に沿って等間隔に複数形成されている一方、前記操作体の係止部は前記凸部が嵌合する凹部で構成され、該凹部は前記つまみ部にスライド方向に沿って複数形成されており、前記複数の凹部に前記複数の凸部のいずれかが嵌合し得る構造となっていることを特徴とする軒樋支持具。
【発明の詳細な説明】
【技術分野】
【０００１】
本発明は、取付杆と樋支持具本体とを相互にスライド可能とした軒樋支持具に関する。
【背景技術】
【０００２】
従来のこの種の軒樋支持具として、横回転ロックレバーの操作で取付杆と樋支持具本体とのロックおよびその解除を行えるものがある（例えば、特許文献１参照）。
【０００３】
特許文献１に記載された構造のものは、樋支持具本体に長孔を設けて、その長孔に取付杆と操作体との結合軸を通して、結合軸を長孔に沿って相対移動できるように、樋支持具本体をスライド可能としたものである。
【０００４】
そして、スライドしないように軒樋支持具を固定保持するときには横回転ロックレバーを回転操作して、取付杆と樋支持具本体とを圧接固定し、進退調節のためにスライド可能にするときには横回転ロックレバーを回転操作して、圧接解除する構成となっている。
【０００５】
このように、取付杆と樋支持具本体とのロックもそのロックの解除も横回転ロックレバーの回転操作だけでできるため、軒樋を施工する際には、樋支持具本体の進退調節を迅速かつ簡便に行える。
【先行技術文献】
【特許文献】
【０００６】
【特許文献１】特許３９２９４２６号公報
【発明の概要】
【発明が解決しようとする課題】
【０００７】
しかしながら、取付杆と樋支持具本体とのロックは両者の圧接によりなされる構造であるため、レバーの回転操作には強い力を必要とするという問題があったし、ロックまたはロック解除の際に行う回転操作自体が高所においてはしにくいという問題もあった。
【０００８】
本発明は、このような問題を解決するために提案されたもので、その目的は、スライド操作をするための取付杆と樋支持具本体とのロックの解除の操作および樋支持具本体を固定する（スライドできないようにする）ためのロックの操作を簡易かつ迅速に行える軒樋支持具を提供することにある。
【課題を解決するための手段】
【０００９】
上記目的を達成するために、請求項１に記載の軒樋支持具は、取付杆と、ロック機構を有した操作体とを、それらの間に長孔が開設された樋支持具本体を挟み込んだ状態で該長孔を貫通する結合軸で結合して、取付杆と樋支持具本体とを相互にスライド可能とし、所望の位置で固定できるようにした軒樋支持具であって、操作体は、挿通孔を有した基板部と、該基板部の両側方に各々延び、樋支持具本体の長手方向に直交する方向に配された、ばね性を有したつまみ部を備えた構造とされ、樋支持具本体の下方に配されるようになっており、つまみ部は下方に向けて相互に離反するように折曲されてハ字状に開いた形状とされており、操作体のつまみ部と、樋支持具本体の幅方向の両端部との各対向部位には、樋支持具本体の進退位置を固定する係止部が形成されており、つまみ部を操作して係止によるロックを解除する構成となっており、樋支持具本体の係止部は凸部で構成され、該凸部はスライド方向に沿って等間隔に複数形成されている一方、操作体の係止部は凸部が嵌合する凹部で構成され、該凹部はつまみ部にスライド方向に沿って複数形成されており、複数の凹部に複数の凸部のいずれかが嵌合し得る構造となっていることを特徴とする。
【発明の効果】
【００１２】
請求項１に記載した軒樋支持具によれば、ばね性を有したつまみ部を備えた操作体を有しているため、スライド操作をするための取付杆と樋支持具本体とのロックの解除の操作をつまみ部のつまみ操作だけで行える。樋支持具本体の進退調節は、つまみ部をつまんだ状態で樋支持具本体をスライド調節すればよく、位置が確定すれば、つまみ部をつまんだ手指を離すだけでよい。つまり、操作体のつまみ部から手指を離すだけでロックされるので、ロックのために余分な操作を必要としない。
【００１３】
ようするに、軒樋支持具の進退調節の際、スライド操作をするための取付杆と樋支持具本体とのロックの解除の操作、および、取付杆と樋支持具本体とのロックの操作を簡易かつ迅速に行える。
【００１４】
また、樋支持具本体と操作体との係止は凸部と凹部によりなされ、樋支持具本体に設けた凸部がスライド方向に沿って等間隔に複数形成されているため、一定ピッチで段階的な調節ができ、所望の位置で固定できる。また、複数の凹部を有した係止部と、複数の凸部を有した係止部とが相互に嵌合する構成となっているため、固定をさらに強化できる。
【図面の簡単な説明】
【００１６】
【図１】本発明の第１実施形態に係る軒樋支持具の分解斜視図である。
【図２】（ａ）（ｂ）は、本実施形態における軒樋支持具の進退状態の２例を示す模式部分側面図である。
【図３】本実施形態におけるロック／ロック解除状態の説明図であり、（ａ）はロック状態を示す軒樋支持具の模式拡大縦断面図、（ｂ）はロックが解除されたときの軒樋支持具の模式拡大縦断面図である。
【図４】本発明の第２実施形態に係る軒樋支持具の分解斜視図である。
【図５】（ａ）は図４のＡ−Ａ線断面図、（ｂ）は図４のＢ−Ｂ線断面図である。
【図６】本実施形態におけるロック／ロック解除状態の説明図であり、（ａ）はロック状態を示す軒樋支持具の模式拡大縦断面図、（ｂ）はロックが解除されたときの軒樋支持具の模式拡大縦断面図である。
【図７】本発明の第３実施形態に係る軒樋支持具の分解斜視図である。
【図８】（ａ）は図７のＣ−Ｃ線断面図、（ｂ）は図４のＤ−Ｄ線断面図である。
【図９】本実施形態におけるロック／ロック解除状態の説明図であり、（ａ）はロック状態を示す軒樋支持具の模式拡大縦断面図、（ｂ）はロックが解除されたときの軒樋支持具の模式拡大縦断面図である。
【発明を実施するための形態】
【００１７】
以下に、本発明の実施形態について、添付図面を参照しながら説明する。
【００１８】
図１〜図３は、本発明の第１実施形態に係る軒樋支持具の説明図である。
【００１９】
この軒樋支持具１は、取付杆３０と、ロック機構を有した操作体２０とが、それらの間に長孔１２が開設された樋支持具本体１０を挟み込んだ状態で該長孔１２を貫通する結合軸（リベット２）で結合された構造となっている。樋支持具本体１０は、取付杆３０に対して操作体２０の操作によりスライド可能とされ、所望の位置で固定できるようなっている。
【００２０】
取付杆３０は、ステンレス等の金属で製されており、軒先等に固定される取付足板３１と、その上端中央から前方に向けて延びた足杆３２とを備えている。この足杆３２の前方部には段落ちした連結片部３３が形成され、この連結片部３３には結合軸（リベット２）が貫通する軸孔３４が開設されている。
【００２１】
樋支持具本体１０は、ステンレス等の金属で製された長板状のスライド板本体１１を備えており、その前端には軒樋３の前部を吊り下げ支持するための前樋掛止部１０ａが折り曲げ形成され、後端には軒樋３の後部を吊り下げ支持するための後樋掛止部１０ｂが固着形成されている。
【００２２】
スライド板本体１１には、長手方向に沿って、リベット２が貫通する長孔１２が形成され、その幅方向の両側には上方に膨出してなるリブ１３が設けてあり、さらにそのリブ１３の外壁部１３ａの下端には、長孔１２の略全長に対応した鋸刃状の凹凸部が設けてある。
【００２３】
この凹凸部には、複数の凸部１５、１５・・・が等間隔で下方に向けて突出形成されており、図例では１０個の凸部１５、１５・・・が連続形成されている。この凹凸部の複数の凸部１５、１５・・・は、後述する操作体２０のつまみ部２３、２３のそれぞれに形成された凹部２５、２５、２５に対して相互係止するための係止部を構成する。なお、凸部１５は、凹部２５と嵌合しやすくするために、図例のように、先端を面取りした先細りのガイド形状とすることが望ましい。
【００２４】
また、操作体２０は蝶ばね体よりなり、挿通孔２２を有した基板部２１と、該基板部２１の両側方に各々延びた、ばね性を有したつまみ部２３、２３とを備えた構造となっている。
【００２５】
つまみ部２３、２３は、下方に向けて相互に離反するようにハ字状に開いており、その中間部には、等ピッチの３つの凹部２５、２５、２５が形成された、基板部２１に略平行な段部２４が折曲形成されている。この段部２４に設けた複数の凹部２５、２５、２５は、樋支持具本体１０の凹凸部の凸部１５、１５・・・に対して相互係止するための係止部を構成する。
【００２６】
また、基板部２１におけるつまみ部２３、２３側の両端部には、下方に凹んだ凹溝２１ａが形成されている。この凹溝２１ａは、つまみ部２３、２３を弱い力でも操作させるためのものであり、また強化リブとしても作用する。
【００２７】
また、本実施形態の例では、樋支持具本体１０の凸部１５に嵌合する凹部２５が、貫通開口で構成されているが、凸部１５が嵌合できる程度の凹み穴で構成されたものでもよい。少なくとも、樋支持具本体１０の凸部１５と、操作体２０のつまみ部２３の凹部２５との嵌合によって相互に係止する構造であればよい。また、操作体２０のつまみ部２３に凸部を設け、樋支持具本体１０に凹部を設けたものでもよい。
【００２８】
以上に説明した取付杆３０、樋支持具本体１０および操作体２０は、図１、図２に示すように連結される。
【００２９】
すなわち、取付杆３０の連結片部３３の下に樋支持具本体１０のスライド板本体１１を配し、その下につまみ部２３がスライド板本体１１の幅方向の両側に配されるように操作体２０を配し、取付杆３０の軸孔３４、樋支持具本体１０の長孔１２、操作体２０の挿通孔２２を合わせてリベット２よりなる結合軸を挿通させることで、三者が結合する。リベット２の代わりに、結合具としてボルト、ナットを用いてもよい。
【００３０】
こうして三者を結合させると、取付杆３０と操作体２０とは、軸孔３４と挿通孔２２とを介してリベット２で相互に結合するとともに、相対的な位置関係が変動しないように固定一体化する一方、樋支持具本体１０は、一体となった２部材に対して、長孔１２を介してスライド移動できるように結合する。
【００３１】
このように３部材が結合すると、操作体２０のつまみ部２３をつまみ操作しない通常の状態では、操作体２０の３つの凹部２５、２５、２５に樋支持具本体１０の複数の凸部１５、１５・・・のうちの３つの凸部１５、１５、１５が嵌合して、３部材が相互に固定されたロック状態となる。
【００３２】
図２（ａ）（ｂ）は、樋支持具本体１０を取付杆３０に対して操作体２０を用いてロックした２状態例を示した模式部分側面図である。
【００３３】
図２（ａ）の例は、操作体２０のつまみ部２３に形成された３つの凹部２５、２５、２５に対して、樋支持具本体１０に形成された凸部１５、１５・・・のうち前方（図中の左）から３〜５番目の凸部１５、１５、１５が嵌合した状態を示したものである。一方、図２（ｂ）の例は、つまみ部２３の３つの凹部２５、２５、２５に対して、前方から６〜８番目の凸部１５、１５、１５が嵌合した状態を示したものである。
【００３４】
このように、操作体２０の３つの凹部２５、２５、２５には、樋支持具本体１０の前方からｎ番目と（ｎ＋１）番目と（ｎ＋２）番目（図例ではｎは１〜８のいずれか）の凸部１５、１５、１５が嵌合する。
【００３５】
本実施形態の図例では、３組の凸部１５、１５、１５と凹部２５、２５、２５とが嵌合する構成となっているが、これには限らず、少なくとも１組の凸部１５および凹部２５が嵌合する構成であればよい。樋支持具本体１０を強固に取り付けるために複数組の凸部１５、１５と凹部２５、２５とが嵌合する構成とすることが望ましい。
【００３６】
このように、この軒樋支持具１は、操作体２０に形成された３つの凹部２５、２５、２５を樋支持具本体１０の適宜な凸部１５、１５、１５と嵌合させることで、樋支持具本体１０の突出度合いを異ならせることができる。
【００３７】
このように樋支持具本体１０を種々の進退度合いにするための調節は、図３（ａ）（ｂ）に示すように、操作体２０のつまみ部２３、２３のつまみ操作および樋支持具本体１０のスライド操作によってなされる。
【００３８】
図３（ａ）は、凸部１５と凹部２５とが嵌合して樋支持具本体１０がロックされた状態を示した縦断面図であり、この状態でつまみ部２３、２３を白抜き矢印方向につまんでつまみ部２３、２３を弾性変形させると、凸部１５と凹部２５の嵌合が解除され、図３（ｂ）の状態となる。このロック解除の状態で、つまみ部２３、２３をつまんだまま、樋支持具本体１０を長孔１２に沿ってスライド移動させ、所望の位置で手指を離してつまみ部２３、２３を元の状態に復帰させると、凹部２５が凸部１５に嵌合して再度ロック状態となり、スライド操作ができなくなる。
【００３９】
このように、操作体２０のつまみ部２３、２３をつまんでおけば、簡単に樋支持具本体１０のスライド調節を行うことができる。また、所望の位置にスライドした後には、つまみ部２３、２３をつまんでいた手指を離すことで、つまみ部２３、２３のばね復帰にて凸部１５と凹部２５とが凹凸嵌合して、樋支持具本体１０が動かないようにロックすることができる。
【００４０】
ようするに、この軒樋支持具１によれば、軒樋支持具１の進退調節の際、スライド操作をするための取付杆３０と樋支持具本体１０とのロックの解除の操作および樋支持具本体１０を固定する（スライドできないようにする）ためのロックの操作を簡易かつ迅速に行える。
【００４１】
本実施形態に係る軒樋支持具１による効果は種々挙げられるが、以下に説明する第２、第３実施形態に係る軒樋支持具１も同様の効果が奏せられるため、それらの実施形態を説明したのちにまとめて説明する。
【００４２】
本発明の第２実施形態について、図４〜図６を参照しながら説明する。
【００４３】
本実施形態に係る軒樋支持具１は、樋支持具本体１０、操作体２０の各形状等が第１実施形態のものと異なる。
【００４４】
本実施形態における樋支持具本体１０は、合成樹脂により製された長板状のスライド板本体１１を備えており、その前後端には軒樋３を吊り下げ支持するための前樋掛止部１０ａおよび後樋掛止部１０ｂが一体形成されている。
【００４５】
スライド板本体１１は、図５（ａ）の断面図に示すように第１実施形態の金属製のものにくらべて肉厚に形成されている。その中央には、長手方向に沿って、リベット（結合軸）２が貫通する長孔１２が形成され、長孔１２が通じる下面における幅方向の両側には、脚のごとく下方に突き出た側壁部１４、１４が形成されている。
【００４６】
この側壁部１４、１４のそれぞれの内側には、図５（ａ）（ｂ）に示すように、長孔１２の略全長に対して、相対向するように、等間隔に配置された複数の凸部１５、１５・・・が形成されている。この複数の凸部１５、１５・・・は、後述する操作体２０のつまみ部２３に形成された凹部２５、２５に対して相互係止するための係止部を構成する。
【００４７】
また、操作体２０は蝶ばね体よりなり、挿通孔２２を有した基板部２１と、該基板部２１の両側方に各々延びた、ばね性を有したつまみ部２３、２３とを備えた構造となっている。
【００４８】
つまみ部２３、２３は、下方に向けて相互に離反するようにハ字状に開いており、その中間部には、基板部２１に略平行な段部２４が折曲形成され、その段部２４よりも上部に２つの凹部２５、２５が形成されている。この２つの凹部２５、２５は、樋支持具本体１０の凸部１５、１５・・・に対して相互係止するための係止部を構成する。
【００４９】
また、基板部２１におけるつまみ部２３側の両端部には、下方に凹んだ凹溝が形成されている。この凹溝は、つまみ部２３を弱い力でも操作させるためのものであり、また強化リブとしても作用する。
【００５０】
なお、樋支持具本体１０の凸部１５に嵌合する凹部２５は、凸部１５が嵌合できる程度の凹み穴で構成されたものでもよい。少なくとも、樋支持具本体１０の凸部と、操作体２０のつまみ部２３の凹部との嵌合によって相互に係止する構造であればよい。また、操作体２０のつまみ部２３に凸部を設け、樋支持具本体１０に凹部を設けたものでもよい。
【００５１】
以上に説明した取付杆３０、樋支持具本体１０および操作体２０は、図４、図６に示すように連結される。
【００５２】
すなわち、取付杆３０の連結片部３３の下に樋支持具本体１０のスライド板本体１１を配し、その下に、樋支持具本体１０の側壁部１４、１４間に基板部２１を嵌め入れるようにして操作体２０を配し、取付杆３０の軸孔３４、樋支持具本体１０の長孔１２、操作体２０の挿通孔２２を合わせてリベット２よりなる結合軸を挿通させることで、三者が結合する。リベット２の代わりに、結合具としてボルト、ナットを用いてもよい。
【００５３】
こうして三者を結合させると、取付杆３０と操作体２０とは、軸孔３４と挿通孔２２とを介してリベット２で相互に結合するとともに、相対的な位置関係が変動しないように固定一体化する一方、樋支持具本体１０は、一体となった２部材に対して、長孔１２を介してスライド移動できるように結合する。
【００５４】
このように３部材が結合すると、操作体２０のつまみ部２３をつまみ操作しない通常の状態では、操作体２０の２つの凹部２５、２５に樋支持具本体１０の複数の凸部１５、１５・・・のうちの２つの凸部１５、１５が嵌合して３部材が相互に固定したロック状態となる。
【００５５】
なお、この軒樋支持具１０のロック機構については、樋支持具本体１０に形成された１０個の凸部１５、１５・・・のうちの２つの凸部１５、１５が、操作体２０に設けた２つの凹部２５、２５に嵌合して樋支持具本体１０と操作体２０とが結合するものであり、第１実施形態の軒樋支持具１のロック機構と概ね同じであるため、ロック状態例の図示および説明については省略する。
【００５６】
この樋支持具本体１０を種々の進退度合いにするための調節は、図６（ａ）（ｂ）に示すように、操作体２０のつまみ部２３のつまみ操作および樋支持具本体１０のスライド操作によってなされる。
【００５７】
図６（ａ）は、凸部１５と凹部２５とが嵌合して樋支持具本体１０がロックされた状態を示した縦断面図であり、この状態でつまみ部２３、２３を白抜き矢印方向につまんでつまみ部２３、２３を弾性変形させると、凸部１５と凹部２５の嵌合が解除され、図６（ｂ）の状態となる。このロック解除の状態で、つまみ部２３、２３をつまんだまま、樋支持具本体１０を長孔１２に沿ってスライド移動させ、所望の位置で手指を離してつまみ部２３、２３を元の状態に復帰させると、凹部２５が凸部１５に嵌合して再度ロック状態となり、スライド操作ができなくなる。
【００５８】
このように、操作体２０のつまみ部２３、２３をつまんでおけば、簡単に樋支持具本体１０のスライド調節を行うことができる。また、所望の位置にスライドした後には、つまみ部２３、２３をつまんでいた手指を離すことで、つまみ部２３、２３のばね復帰にて凸部１５と凹部２５とが凹凸嵌合して、樋支持具本体１０が動かないようにロックすることができる。
【００５９】
つぎに、本発明の第３実施形態について、図７〜図９を参照しながら説明する。
【００６０】
本実施形態に係る軒樋支持具１は、樋支持具本体１０、操作体２０の各形状等において、第１、第２実施形態のものと異なる。
【００６１】
本実施形態における樋支持具本体１０は、合成樹脂により製された長板状のスライド板本体１１を備えており、その前後端には軒樋３を吊り下げ支持するための前樋掛止部１０ａおよび後樋掛止部１０ｂが一体形成されている。
【００６２】
スライド板本体１１は、図８（ａ）の断面図に示すように第１実施形態の金属製のものにくらべて肉厚に形成されている。その中央には、長手方向に沿って、結合軸が貫通する長孔１２が形成され、長孔１２が通じる下面の幅方向の両側には、脚のごとく下方に突き出た側壁部１４、１４が形成されている。
【００６３】
この側壁部１４のそれぞれの下端には、図８（ａ）（ｂ）に示すように、下方に向いて突出し、等ピッチに配置された複数の凸部１５、１５・・・が形成されている。この複数の凸部１５、１５・・・は、後述する操作体２０のつまみ部２３に形成された凹部２５、２５、２５に対して相互係止するための係止部を構成する。
【００６４】
また、操作体２０は蝶ばね体よりなり、挿通孔２２を有した基板部２１と、該基板部２１の両側方に各々延び、樋支持具本体１０の長手方向に直交する方向に配された、ばね性を有したつまみ部２３、２３とを備えた構造となっている。
【００６５】
つまみ部２３は、下方に向けて相互に離反するようにハ字状に開いており、その中間部には、等ピッチの３つの凹部２５、２５、２５が形成された基板部に略平行な段部２４が折曲形成されている。この段部２４に設けた複数の凹部２５、２５、２５は、樋支持具本体１０の凸部１５、１５・・・に対して相互係止するための係止部を構成する。
【００６６】
また、基板部２１におけるつまみ部２３、２３側の両端部には、下方に凹んだ凹溝が形成されている。この凹溝は、つまみ部２３、２３を弱い力でも操作させるためのものであり、また強化リブとしても作用する。
【００６７】
また、本実施形態の例では、樋支持具本体１０の凸部１５に嵌合する凹部２５が、貫通開口で構成されているが、凸部１５が嵌合できる程度の凹み穴で構成されたものでもよい。少なくとも、樋支持具本体１０の凸部１５と、操作体２０のつまみ部２３の凹部２５との嵌合によって相互に係止する構造であればよい。また、操作体２０のつまみ部２３に凸部を設け、樋支持具本体１０に凹部を設けたものでもよい。
【００６８】
以上に説明した取付杆、樋支持具本体１０および操作体２０は、図７に示すように連結される。
【００６９】
すなわち、取付杆３０の連結片部３３の下に樋支持具本体１０のスライド板本体１１を配し、その下につまみ部２３がスライド板本体１１の両側に配されるように操作体２０を配し、取付杆３０の軸孔３４、樋支持具本体１０の長孔１２、操作体２０の挿通孔２２を合わせてリベット２よりなる結合軸を挿通させることで、三者が結合する。リベット２の代わりに、結合具としてボルト、ナットを用いてもよい。
【００７０】
こうして三者を結合すると、取付杆３０と操作体２０とは、軸孔３４と挿通孔２２とを介してリベット２で相互に結合され、相対的な位置関係が変動しないように固定一体化される一方、一体となった２部材に対して、樋支持具本体１０は長孔１２を介してスライド移動できるように結合する。
【００７１】
このように３部材が結合すると、操作体２０のつまみ部２３、２３をつまみ操作しない通常の状態では、操作体２０の３つの凹部２５、２５、２５に樋支持具本体１０の複数の凸部１５、１５・・・のうちの３つの凸部１５、１５、１５が嵌合して、３部材が相互に固定したロック状態となる。
【００７２】
なお、この軒樋支持具１のロック機構については、樋支持具本体１０に形成された１０個の凸部１５、１５・・・のうちの３つの凸部１５、１５、１５が、操作体２０に設けた３つの凹部２５、２５、２５に嵌合して樋支持具本体１０と操作体２０とが結合するものであり、第１実施形態の軒樋支持具１の機構と概ね同じであるため、ロック状態例の図示および説明については省略する。
【００７３】
この樋支持具本体１０を種々の進退度合いにするための調節は、図９（ａ）（ｂ）に示すように、操作体２０のつまみ部２３のつまみ操作および樋支持具本体１０のスライド操作によってなされる。
【００７４】
図９（ａ）は、凸部１５と凹部２５とが嵌合して樋支持具本体がロックされた状態を示した縦断面図であり、この状態でつまみ部２３、２３を白抜き矢印方向につまんでつまみ部２３、２３を弾性変形させると、凸部１５と凹部２５の嵌合が解除され、図９（ｂ）の状態となる。このロック解除の状態で、つまみ部２３、２３をつまんだまま、樋支持具本体を長孔１２に沿ってスライド移動させ、所望の位置で手指を離してつまみ部２３、２３を元の状態に復帰させると、凹部２５が凸部１５に嵌合して再度ロック状態となり、スライド操作ができなくなる。
【００７５】
このように、操作体２０のつまみ部２３、２３をつまんでおけば、簡単に樋支持具本体１０のスライド調節を行うことができる。また、所望の位置にスライドした後には、つまみ部２３、２３をつまんでいた手指を離すことで、つまみ部２３、２３のばね復帰にて凸部１５と凹部２５とが凹凸嵌合して、樋支持具本体１０が動かないようにロックすることができる。
【００７６】
以上の３実施形態については、樋支持具本体１０および操作体２０の形状等について差異があるが、ロック、ロック解除機構およびスライド機構について概ね同様の構造を有しており、その効果についても同様である。以下に、それらについて説明する。
【００７７】
まず、つまみ部２３、２３がばね性を有し、つまみ部２３、２３より手指を離せば樋支持具本体１０が操作体２０に固定される構成となっているため、軒樋支持具１の進退調節の後に、取付杆３０と樋支持具本体１０とのロックの操作を簡易かつ迅速に行える。もちろん、スライド操作をするための取付杆３０と樋支持具本体１０とのロックの解除も簡単に行える。
【００７８】
さらに、進退調節する際に操作体２０と樋支持具本体１０との結合を解除する必要がないから、ボルト、ナットで結合する場合でも進退調節のためにボルト、ナットを外す必要がなく、操作性はきわめてよい。
【００７９】
また、樋支持具本体１０を操作体２０と取付杆３０との間に挟みこんだ状態にして、操作体２０のつまみ部２３および樋支持具本体１０のそれぞれに設けた係止部同士（凹部２５と凸部１５）で係止する固定構造であるため、操作体２０は壁などに固定された取付杆３０にしっかりと固定され、その操作体２０に係止部同士の係止により固定された樋支持具本体１０も同様に強固に固定される。
【００８０】
なお、スライド移動をしやすくするために、取付杆３０、樋支持具本体１０、操作体２０の間にわずかな隙間を設けてリベット止めすることが望ましい。このように隙間が空いていても、操作体２０のばねが作用していない状態では、取付杆３０と固定関係にある操作体２０が樋支持具本体１０を係止固定しているので、樋支持具本体１０がずれ動くおそれはない。
【００８１】
また上記の３実施形態では、樋支持具本体１０と操作体２０との係止が凸部１５と凹部２５とによりなされ、その凸部１５がスライド方向に沿って等間隔に複数形成されているため、一定ピッチで段階的な調節ができる。ピッチを小さくすれば微調整も行える。
【００８２】
また、上記の３実施形態では、樋支持具本体１０に設けられた１０個の凸部１５、１５・・・のうちの３つの凸部１５、１５、１５に対応して、操作体２０には３つの凹部２５、２５、２５が設けられているので、３組の凹凸嵌合により強固な固定が望める。
【符号の説明】
【００８３】
１      軒樋支持具
２      リベット（結合軸）
３      軒樋
１０      樋支持具本体
１２      長孔
１３      リブ（第１実施形態）
１３ａ      外壁部（第１実施形態）
１４      側壁部（第２、第３実施形態）
１５      凸部
２０      操作体
２２      挿通孔
２３      つまみ部
２４      段部
２５      凹部
３０      取付杆
３４      軸孔
【図１】
0005703190.tif 000002
【図２】
0005703190.tif 000003
【図３】
0005703190.tif 000004
【図４】
0005703190.tif 000005
【図５】
0005703190.tif 000006
【図６】
0005703190.tif 000007
【図７】
0005703190.tif 000008
【図８】
0005703190.tif 000009
【図９】
0005703190.tif 000010